(57)【要約】【課題】溜水部に後方から流入する水流を用いて汚物を排出するうえで、汚物排出能力の向上を図れる技術を提供する。【解決手段】鉢状の汚物受け面２４、及び、汚物受け面２４の下端縁から下方に窪む溜水部２６を有する便鉢部１８と、便鉢部１８内に周方向の一方側に向けて第１吐水孔３０Ａから洗浄水を吐き出すことによって、溜水部２６より後側に位置する汚物受け面２４の後側領域６０を伝う水流を形成する第１吐水部と、を備え、汚物受け面２４は、吐水孔３０Ａから吐き出された洗浄水を周方向の一方側に導く棚面６６を有し、棚面６６は、便鉢部１８の径方向に沿った切断面での形状が平坦面であり、後側領域６０での棚面６６の径方向での勾配は、溜水部２６より左右いずれかに位置する汚物受け面２４の横側領域６２Ａ、６２Ｂでの棚面６６の径方向での勾配より大きくなるように設定される。【選択図】図１１
2019190217.tif 000002
【特許請求の範囲】
【請求項１】
鉢状の汚物受け面、及び、前記汚物受け面の下端縁から下方に窪む溜水部を有する便鉢部と、
前記便鉢部の底部に接続される便器排水路と、
前記便鉢部内に周方向の一方側に向けて第１吐水孔から洗浄水を吐き出すことによって、前記溜水部より後側に位置する前記汚物受け面の後側領域を前記周方向の一方側に向けて伝う水流を形成する第１吐水部と、を備え、
前記溜水部は、前記溜水部の左右片側に設けられる立壁面に接触しつつ前記溜水部に後方から流入する水流によって、前記便器排水路に汚物を押し込む誘導流を形成するように構成され、
前記汚物受け面は、前記吐水孔から吐き出された洗浄水を周方向の一方側に導くための棚面を有し、
前記棚面は、前記便鉢部の径方向に沿った切断面での形状が平坦面であり、
前記後側領域での前記棚面の径方向での勾配は、前記溜水部より左右いずれかに位置する前記汚物受け面の横側領域での前記棚面の径方向での勾配より大きくなるように設定される便器本体。
【請求項２】
前記汚物受け面は、前記溜水部の立壁面と前記棚面とを連結するとともに前記棚面に連なる凸曲面状の連結面を有し、
前記連結面は、前記汚物受け面の前記後側領域に少なくとも設けられる請求項１に記載の便器本体。
【請求項３】
前記連結面は、前記汚物受け面の前記横側領域にも設けられ、
前記後側領域での前記連結面の径方向での曲率半径は、前記横側領域での前記連結面の径方向での曲率半径より大きくなるように設定される請求項２に記載の便器本体。
【請求項４】
前記第１吐水部は、前記第１吐水孔から洗浄水を吐き出すことによって、前記便鉢部の左右一方側の第１側方部分を後方に伝う第１旋回流を形成し、
前記溜水部より後方にて前記第１側方部分に形成される第２吐水孔を有し、前記便鉢部内に前記周方向の一方側に向けて前記第２吐水孔から洗浄水を吐き出すことによって、前記溜水部に後方から流入する第１水流を形成する第２吐水部を備え、
前記第１水流は、前記第１旋回流の一部と合流してから、前記立壁面に接触しつつ前記溜水部内に後方から流入するように形成される請求項１から３のいずれかに記載の便器本体。
【請求項５】
鉢状の汚物受け面、及び、前記汚物受け面の下端縁から下方に窪む溜水部を有する便鉢部と、
前記便鉢部の底部に接続される便器排水路と、
前記便鉢部内に周方向の一方側に向けて第１吐水孔から洗浄水を吐き出すことによって、前記便鉢部の左右一方側の第１側方部分を後方に伝う第１旋回流を形成する第１吐水部と、
前記溜水部より後方にて前記第１側方部分に形成される第２吐水孔を有し、前記便鉢部内に前記周方向の一方側に向けて前記第２吐水孔から洗浄水を吐き出すことによって、前記溜水部に後方から流入する第１水流を形成する第２吐水部と、を備え、
前記溜水部は、前記溜水部の左右片側に設けられる立壁面に接触しつつ前記溜水部に後方から流入する水流によって、前記便器排水路に汚物を押し込む誘導流を形成するように構成され、
前記第１水流は、前記第１旋回流の一部と合流してから、前記立壁面に接触しつつ前記溜水部内に後方から流入するように形成される便器本体。
【請求項６】
前記便鉢部は、前記便鉢部の内周面を構成し、前記第１吐水孔の内側面から前記第１吐水孔の中心軸線に沿った吐出方向に延びる面部分を有し、
前記面部分は、前記第１吐水孔の内側面から前記吐出方向に向かうにつれて、平面視において前記中心軸線の延長線を挟んで前記溜水部とは反対側に向けて延びるように形成される請求項１から５のいずれかに記載の便器本体。
【発明の詳細な説明】
【技術分野】
【０００１】
本発明は、便器本体に関する。
【背景技術】
【０００２】
従来より、汚物を排出するための洗浄方式に関して種々の検討がなされている。特許文献１には、便鉢部の左右片側の側方領域を後方に向かう旋回流を形成し、その旋回流の一部を便鉢部の溜水部に後方から流入させることで、便器排水路の入口に汚物を押し込むための誘導流を形成できる水洗大便器が開示されている。
【先行技術文献】
【特許文献】
【０００３】
【特許文献１】特開２０１６−８９４３１号公報
【発明の概要】
【発明が解決しようとする課題】
【０００４】
便鉢部の溜水部に後方から洗浄水を流入させることで、便器排水路の入口に汚物を押し込む誘導流を形成する場合を考える。この場合、良好な汚物排出能力を得るうえで、溜水部への後方からの洗浄水の流入量を増大できるとよい。本発明者は、このような観点のもと、汚物排出能力の向上を図るうえで、新たな方策があるとの知見を得た。
【０００５】
本発明のある態様は、このような課題に鑑みてなされ、その目的の１つは、溜水部に後方から流入する水流を用いて汚物を排出するうえで、汚物排出能力の向上を図れる技術を提供することにある。
【課題を解決するための手段】
【０００６】
前述の課題を解決するための本発明の第１態様は便器本体である。第１態様の便器本体は、鉢状の汚物受け面、及び、前記汚物受け面の下端縁から下方に窪む溜水部を有する便鉢部と、前記便鉢部の底部に接続される排水部と、前記便鉢部内に周方向の一方側に向けて第１吐水孔から洗浄水を吐き出すことによって、前記溜水部より後側に位置する前記汚物受け面の後側領域を前記周方向の一方側に向けて伝う水流を形成する第１吐水部と、を備え、前記溜水部は、前記溜水部の左右片側に設けられる立壁面に接触しつつ前記溜水部に後方から流入する水流によって、前記排水部に汚物を押し込む誘導流を形成するように構成され、前記汚物受け面は、前記吐水孔から吐き出された洗浄水を周方向の一方側に導くための棚面を有し、前記棚面は、前記便鉢部の径方向に沿った切断面での形状が平坦面であり、前記後側領域での前記棚面の径方向での勾配は、前記溜水部より左右いずれかに位置する前記汚物受け面の横側領域での前記棚面の径方向での勾配より大きくなるように設定される。
【０００７】
第１態様によれば、後側領域での棚面の勾配を横側領域での棚面の勾配以下にする場合と比べ、後側領域の棚面を周方向に伝う洗浄水の一部を適度に溜水部に流し落とし易くなる。よって、溜水部への後方からの洗浄水の流入量を増大でき、汚物排出能力の向上を図れる。
【図面の簡単な説明】
【０００８】
【図１】第１実施形態の便器本体の斜視図である。
【図２】第１実施形態の便器本体の平面図である。
【図３】第１実施形態の便器本体の側面断面図である。
【図４】図３のＡ−Ａ線断面図である。
【図５】図２のＢ−Ｂ線断面の一部を示す図である。
【図６】図５のＣ−Ｃ線端面の一部を主に示す図である。
【図７】第１実施形態の便器本体の分解斜視図である。
【図８】図３のＤ−Ｄ線断面図である。
【図９】図５のＥ−Ｅ線断面の一部を示す図である。
【図１０】第１実施形態の便器本体の他の平面図である。
【図１１】第１実施形態の便器本体の更に他の平面図である。
【図１２】図３の一部の拡大図である。
【図１３】図２のＢ−Ｂ線端面の一部を主に示す図である。
【図１４】第１段階での洗浄水の流れ方を示す図である。
【図１５】第２段階での洗浄水の流れ方を示す図である。
【図１６】第２段階での洗浄水の流れ方を示す他の図である。
【図１７】第１実施形態の棚面の勾配を示すグラフである。
【図１８】第１実施形態の連結面の曲率半径を示すグラフである。
【図１９】図４の一部の拡大図である。
【図２０】図２０（ａ）は、図３のＦ−Ｆ線断面図であり、図２０（ｂ）は、図３のＧ−Ｇ線断面図であり、図２０（ｃ）は、図３のＨ−Ｈ線断面図である。
【発明を実施するための形態】
【０００９】
以下、実施形態、変形例では、同一の構成要素に同一の符号を付し、重複する説明を省略する。各図面では、説明の便宜のため、構成要素の一部を適宜省略したり、構成要素の寸法を適宜拡大、縮小して示す。図面は符号の向きに合わせて見るものとする。本明細書での「接触」とは、特に明示がない限り、言及している二者が直接的に接触する場合の他に、他の部材を介して間接的に接触する場合も含む。
【００１０】
（第１の実施の形態）
まず、第１実施形態の水洗大便器１０の第１の工夫点を説明する。図１は、第１実施形態の水洗大便器１０に用いられる便器本体１２の斜視図である。図２は、便器本体１２の平面図である。図３は、便器本体１２の側面断面図である。図４は、図３のＡ−Ａ線断面図である。
【００１１】
水洗大便器１０は、便器本体１２と、洗浄水供給装置１４と、を備える。図４に示すように、本実施形態の洗浄水供給装置１４は、貯水タンク（不図示）、分配器１６等を用いて構成される。
【００１２】
本実施形態の便器本体１２は陶器を素材とするが、樹脂等を素材としてもよい。本実施形態の便器本体１２は洋風大便器である。本実施形態の便器本体１２は、トイレ室の床面Ｆｓ（図３参照）上に設置される床置き式である。
【００１３】
以下、水洗大便器１０の構成要素の位置関係に関して、互いに直交する三つの方向を用いて説明する。この方向とは、便器本体１２の前後方向Ｘ、左右方向Ｙ及び上下方向Ｚである。前後方向Ｘ、左右方向Ｙは水平方向であり、便器本体１２に取り付けられる便座（不図示）に通常の姿勢で座る着座者の前後左右と対応する。上下方向Ｚは鉛直方向である。
【００１４】
また、本明細書では、水洗大便器１０の構成要素の位置関係に関して、便器本体１２の便鉢部１８の周方向、径方向を用いて説明する。ここでの「周方向」とは、便器本体１２を上方から見て、その便鉢部１８の上端内縁部１８ａの中心Ｃｐ（図２参照）周りを回る方向をいう。また、「径方向」とは、その中心Ｃｐを通る鉛直線に直交する方向をいう。
【００１５】
図２、図３を参照する。便器本体１２は便鉢部１８を有する。便鉢部１８の上端内縁部１８ａは、便器本体１２の上面部２０に連なり、その上面部２０の後部には便座を取り付けるための取付孔２２が設けられる。
【００１６】
便鉢部１８は、汚物を受けるための鉢状の汚物受け面２４と、汚物受け面２４の下端縁から下方に窪む溜水部２６と、を備える。汚物受け面２４は、平面視での曲率半径が前端部２４ａにおいて最小となる形状である。
【００１７】
便鉢部１８は、左右一方側となる左側（図２では紙面の右側）の左側方部分１８ｂ（第１側方部分）と、左右他方側（図２では紙面の左側）の右側方部分１８ｃ（第２側方領域）とを有する。左側方部分１８ｂは、便鉢部１８の左右中心線Ｌｃに対して左右一方側に配置される便鉢部１８の一部分であり、右側方部分１８ｃは、その左右中心線Ｌｃに対して左右他方側に配置される便鉢部１８の一部分である。左右中心線Ｌｃとは平面視において、便鉢部１８の内面部分の左右方向Ｙに沿った寸法を二等分し、前後方向Ｘに沿って延びる直線をいう。
【００１８】
図４に示すように、便器本体１２は、便鉢部１８内に洗浄水を吐き出すための吐水部２８Ａ、２８Ｂを備える。吐水部２８Ａ、２８Ｂには、便鉢部１８の右側方部分１８ｃに形成される第１吐水孔３０Ａを有する第１吐水部２８Ａと、便鉢部１８の左側方部分１８ｂに形成される第２吐水孔３０Ｂを有する第２吐水部２８Ｂとが含まれる。本実施形態の第１吐水孔３０Ａや第２吐水孔３０Ｂは、溜水部２６より後方にて便鉢部１８の後部に形成される。本実施形態の第１吐水孔３０Ａは、溜水部２６より左右他方側となる右側に形成され、本実施形態の第２吐水孔３０Ｂは、溜水部２６より左右一方側となる左側に形成される。
【００１９】
第１吐水孔３０Ａは前方に向けて開放しており、便鉢部１８内に周方向の一方側（図９の紙面では反時計回り方向。以下、単に反時計回り方向ともいう）に洗浄水を吐き出す。第２吐水孔３０Ｂは、左右他方側となる右側に向けて開放しており、便鉢部１８内に反時計回り方向に洗浄水を吐き出す。
【００２０】
第１吐水部２８Ａは、第１吐水孔３０Ａに洗浄水を供給するための第１通水路３２Ａを有する。第２吐水部２８Ｂは、第２吐水孔３０Ｂに洗浄水を供給するための第２通水路３２Ｂを有する。第１通水路３２Ａは便器本体１２の右側の側方部分に設けられ、第２通水路３２Ｂは便器本体１２の左側の側方部分に設けられる。第１通水路３２Ａや第２通水路３２Ｂには、洗浄水供給装置１４から洗浄水が供給される。
【００２１】
図５は、図２のＢ−Ｂ線断面の一部を示す図である。図６は、図５のＣ−Ｃ線端面の一部を主に示す図である。便鉢部１８は、便鉢部１８の上端内縁部１８ａから垂下する垂下壁部３４を有する。垂下壁部３４の内周面は便鉢部１８の上端内縁部１８ａから汚物受け面２４の外周端部２４ｂまで下方に連続している。垂下壁部３４の内周面には、便鉢部１８の上端内縁部１８ａから汚物受け面２４の外周端部２４ｂまでの範囲で水平面が設けられていないということである。これにより、垂下壁部３４の内周面に水平面が設けられる場合と比べ、垂下壁部３４の内周面を拭き易くなる。
【００２２】
垂下壁部３４の内周面は、本実施形態において、上端内縁部１８ａから下方に向かうにつれて径方向内側に延びるように形成される。この他にも、垂下壁部３４の内周面は、上端内縁部１８ａから下方に向かうにつれて径方向外側に延びるようなオーバーハング形状に形成されてもよい。
【００２３】
本実施形態の垂下壁部３４は、図１に示すように、便鉢部１８の全周に亘る範囲に設けられる。本実施形態の垂下壁部３４の内周面は、略全周に亘る範囲において、吐水孔３０Ａ、３０Ｂ以外の箇所で、滑らかに連なっている。垂下壁部３４は、便鉢部１８の周方向の全周に亘る範囲のうち周方向の半分以上の範囲に少なくとも設けられていてもよい。この他にも、垂下壁部３４は、便鉢部１８の周方向の全周に亘る範囲のうち周方向の大部分の範囲に少なくとも設けられていてもよい。ここでの大部分とは、たとえば、便鉢部１８の周方向の全周に亘る範囲のうち８０％以上の範囲をいう。
【００２４】
以下、第１吐水部２８Ａと第２吐水部２８Ｂは多くの構成が共通するため、その共通する構成に関して第１吐水部２８Ａを示す図面を参照しながら説明する。図５、図６を参照する。第１吐水部２８Ａの第１吐水孔３０Ａは垂下壁部３４を貫通している。第１吐水孔３０Ａの内下面３０ａは、第１通水路３２Ａの内下面３２ａと、便鉢部１８の内面としての汚物受け面２４とを滑らかに連ねている。本明細書での「滑らかに」とは、言及している面にでこぼこや段差がなく、すべすべしているさまをいう。第１吐水孔３０Ａの内上面３０ｂは、第１通水路３２Ａの内上面３２ｂより下方に設けられる。
【００２５】
垂下壁部３４は、第１吐水孔３０Ａを形成するとともに第１吐水孔３０Ａより上方に設けられる第１孔形成部３６Ａを有する。第１孔形成部３６Ａの内周面は、便鉢部１８の上端内縁部１８ａから第１吐水孔３０Ａまでの範囲で滑らかに連なっている。第１孔形成部３６Ａの内周面は、第１孔形成部３６Ａと周方向両側に隣接する垂下壁部３４の他部分の内周面と滑らかに連なっている。
【００２６】
これにより、第１吐水孔３０Ａを形成する垂下壁部３４の第１孔形成部３６Ａの内周面が便鉢部１８の上端内縁部１８ａに滑らかに連なった箇所に設けられる。よって、便鉢部１８の上端内縁部１８ａから奥まった箇所に第１吐水孔３０Ａを形成する壁部が配置される場合と比べ、便鉢部１８の上端内縁部１８ａとともに垂下壁部３４の第１孔形成部３６Ａの内周面を拭き易くなり、良好な清掃性を得られる。
【００２７】
また、便鉢部１８の上端内縁部１８ａが第１吐水孔３０Ａを形成する場合と比べ、第１吐水孔３０Ａの大きさが小さくなり、良好な意匠性を得られる。また、便鉢部１８の上端内縁部１８ａが第１吐水孔３０Ａを形成する場合と比べ、第１吐水孔３０Ａから吐き出された洗浄水が上端内縁部１８ａを伝って、便器本体１２の上面部２０まで伝う事態を避け易くなる。また、便鉢部１８の上端内縁部１８ａが第１吐水孔３０Ａを形成する場合と比べ、便鉢部１８内を流れる洗浄水の高さを抑えられ、洗浄水の飛沫が便鉢部１８の外部に飛散する事態を避け易くなる。
【００２８】
以上の効果を得る観点からは、次の条件を満たすと好ましい。垂下壁部３４の第１孔形成部３６Ａの高さＨａは、便鉢部１８の上端内縁部１８ａの上端から第１吐水孔３０Ａの内上面３０ｂまでの高さで定義される。また、便鉢部１８の上端内縁部１８ａの上端から第１吐水孔３０Ａの内下面３０ａまでの高さをＨｂという。このとき、垂下壁部３４の第１孔形成部３６Ａの高さＨａは、高さＨｂの半分以上の大きさに設定されると好ましい。この条件は、本発明者による実験的な検討に基づき導き出したものである。これにより、垂下壁部３４の第１孔形成部３６Ａの内周面が拭き掃除するうえで適度な大きさとなり、その内周面をより拭き易くなり、より良好な清掃性を得られる。
【００２９】
また、第１吐水孔３０Ａの大きさが小さくなり、より良好な意匠性を得られる。また、第１吐水孔３０Ａから吐き出された洗浄水が上端内縁部１８ａまで伝わり難くなり、その洗浄水が便器本体１２の上面部２０まで伝う事態をより避け易くなる。また、便鉢部１８内を流れる洗浄水の高さをより抑えられ、洗浄水の飛沫が便鉢部１８の外部に飛散する事態をより避け易くなる。
【００３０】
また、第１吐水孔３０Ａの内下面３０ａは、第１通水路３２Ａの内下面３２ａと、便鉢部１８の内面としての汚物受け面２４とを滑らかに連ねている。よって、第１通水路３２Ａ内の水が、第１通水路３２Ａ内にとどまることなく、第１吐水孔３０Ａの内下面３０ａを伝って便鉢部１８内に流れ易くなり、良好な衛生性を得られる。
【００３１】
ここまで第１吐水部２８Ａに関して詳細に説明したが、第２吐水部２８Ｂでも多くの点で共通する。つまり、第２吐水部２８Ｂの第２吐水孔３０Ｂも垂下壁部３４を貫通している。図示はしないが、第２吐水孔３０Ｂの内下面も、第２通水路３２Ｂの内下面と、便鉢部１８の汚物受け面２４とを滑らかに連ねている。垂下壁部３４は、第２吐水孔３０Ｂを形成するとともに第２吐水孔３０Ｂより上方に設けられる第２孔形成部３６Ｂを有する。第２孔形成部３６Ｂは第１孔形成部３６Ａと同様の構成になるため、その説明を省略する。
【００３２】
次に、水洗大便器１０の他の特徴を説明する。図７は、便器本体１２の分解斜視図である。図１、図５、図７に示すように、本実施形態の便器本体１２は、上面側部分３８Ａ、３８Ｂと、上面側部分３８Ａ、３８Ｂより下側の便鉢側部分４０とを接合して構成される。上面側部分３８Ａ、３８Ｂと便鉢側部分４０とは接着等により接合される。上面側部分３８Ａ、３８Ｂと便鉢側部分４０は、陶器製の便器本体１２を得るために必要な便器本体１２の半製品であり、鋳込み成形により得られる鋳込み成形品である。本実施形態の便器本体１２は、未焼成状態にある鋳込み成形品としての上面側部分３８Ａ、３８Ｂと便鉢側部分４０を接合した後、それらを焼成することで得られる。
【００３３】
上面側部分３８Ａ、３８Ｂと便鉢側部分４０は、便器本体１２を分割した形状を持つ。上面側部分３８Ａ、３８Ｂは、便器本体１２の上面部２０の少なくとも一部を含む部分である。本実施形態の上面側部分３８Ａ、３８Ｂには、第１吐水部２８Ａに対応する第１上面側部分３８Ａと、第２吐水部２８Ｂに対応する第２上面側部分３８Ｂとが含まれる。便鉢側部分４０は、便器本体１２の上面側部分３８Ａ、３８Ｂより下側の部分であり、便鉢部１８の大部分を含む部分である。以下、第１上面側部分３８Ａと第２上面側部分３８Ｂは多くの構成が共通するため、その共通する構成に関して第１上面側部分３８Ａを示す図面を参照しながら説明する。
【００３４】
図８は、図３のＤ−Ｄ線断面図である。図５、図８に示すように、上面側部分３８Ａ、３８Ｂと便鉢側部分４０の境界位置は、上面側部分３８Ａ、３８Ｂに対応する吐水部２８Ａ、２８Ｂを形成する壁部を上下に分割する位置に設定される。図５等では、説明の便宜のため、上面側部分３８Ａ、３８Ｂと便鉢側部分４０との境界位置を二点鎖線で示すが、これらは外観に現われなくともよい。便鉢側部分４０の吐水孔３０Ａ、３０Ｂや通水路３２Ａ、３２Ｂを形成する箇所は上側に開放した形状となる。上面側部分３８Ａ、３８Ｂは、便鉢側部分４０の吐水孔３０Ａ、３０Ｂや通水路３２Ａ、３２Ｂを形成する箇所を上側から塞ぐように配置される。
【００３５】
図５、図７、図８に示すように、第１上面側部分３８Ａは、第１通水路３２Ａの内上面３２ｂを構成する第１上壁部４２Ａと、垂下壁部３４の第１孔形成部３６Ａを少なくとも構成する第１垂下側壁部４４Ａとを有する。第１上壁部４２Ａは、便器本体１２の上面部２０の一部を構成する。第１垂下側壁部４４Ａは、第１吐水孔３０Ａの内上面３０ｂを構成する。第１垂下側壁部４４Ａの両側部４４ａは、第１孔形成部３６Ａと周方向両側に隣接する垂下壁部３４の他部分を構成する。
【００３６】
便鉢側部分４０は、第１通水路３２Ａの内側面３２ｃを構成する一対の第１側壁部４６Ａと、第１通水路３２Ａの内下面３２ａを構成する第１下壁部４８Ａとを有する。一対の第１側壁部４６Ａは、第１吐水孔３０Ａを形成する入側開口部５０を有する。第１下壁部４８Ａは第１吐水孔３０Ａの内下面３０ａも構成する。
【００３７】
図９は、図５のＥ−Ｅ線断面の一部を示す図である。図７〜図９に示すように、第１側壁部４６Ａは、第１段部５２と、第１段部５２の上面５２ａより低位置に形成される第２段部５４とを有する。第２段部５４は、第１側壁部４６Ａの入側開口部５０に形成される。第１段部５２の上面５２ａや第２段部５４の上面５４ａは汚物受け面２４の外周端部２４ｂより高位置に形成される。第１段部５２と第２段部５４のそれぞれは、便器本体１２の上面部２０より低位置に形成される。
【００３８】
第１段部５２の上面５２ａは、第１上面側部分３８Ａの第１上壁部４２Ａの側端部と接触して第１上壁部４２Ａを支持する。第２段部５４の上面５４ａは、第１上面側部分３８Ａの第１垂下側壁部４４Ａの両側部と接触して第１垂下側壁部４４Ａを支持する。
【００３９】
第２段部５４は、第２段部５４の上面５４ａから立ち上がる側面５４ｂを有する。第２段部５４は、第１通水路３２Ａの内側面や垂下壁部３４の内周面から水平方向に凹むように形成される。第２段部５４の側面５４ｂには、第１垂下側壁部４４Ａの両側部が接触している。
【００４０】
以上の水洗大便器１０の効果を説明する。かりに、便鉢側部分４０と接触していない場合、第１上面側部分３８Ａの第１垂下側壁部４４Ａは、その第１上壁部４２Ａからぶら下がった状態となる。よって、第１上面側部分３８Ａの第１垂下側壁部４４Ａは、未焼成状態にあるときに自重により下向きの力成分が付与され、下向きに伸びる恐れがある。
【００４１】
この点、本実施形態によれば、便鉢側部分４０は、第１上面側部分３８Ａの第１垂下側壁部４４Ａと接触して第１垂下側壁部４４Ａを支持している。よって、第１上面側部分３８Ａの第１垂下側壁部４４Ａに付与される自重による下向きの力成分を便鉢側部分４０に伝達できる。この結果、未焼成状態にあるとき、第１上面側部分３８Ａの第１垂下側壁部４４Ａに作用する下向きの力成分を低減でき、その第１垂下側壁部４４Ａが伸びてしまう事態を避けられる。これに伴い、第１上面側部分３８Ａの第１垂下側壁部４４Ａにより目的とする形状の第１吐水孔３０Ａを精度よく得やすくなる。
【００４２】
また、第１上面側部分３８Ａの第１垂下側壁部４４Ａは、第２段部５４の側面５４ｂと接触している。よって、便鉢側部分４０に第１上面側部分３８Ａを接合する際、第１上面側部分３８Ａの第１垂下側壁部４４Ａと第２段部５４の側面５４ｂとの接触によって、便鉢側部分４０に対する水平方向での第１上面側部分３８Ａの相対移動を規制できる。これに伴い、便鉢側部分４０に対する第１上面側部分３８Ａの位置決め作業が容易になる。
【００４３】
なお、この他にも、第１上面側部分３８Ａの第１上壁部４２Ａと第１段部５２の側面５２ｂ（図７、図８参照）との接触によっても、便鉢側部分４０に対する水平方向での第１上面側部分３８Ａの相対移動を規制できる。
【００４４】
便器本体１２を製造する方法として、鋳込み成形により得られる単数の鋳込み成形品により便器本体１２を構成し、その鋳込み成形品の一部を切除して吐水孔３０Ａ、３０Ｂを形成する手法がある。このような手法を採る場合、鋳込み成形品の一部の切除に伴いバリが発生してしまい、目的とする形状の吐水孔３０Ａ、３０Ｂを精度よく形成できないという問題がある。
【００４５】
この点、本実施形態のように、上面側部分３８Ａ、３８Ｂと便鉢側部分４０により便器本体１２を構成する場合、上面側部分３８Ａ、３８Ｂと便鉢側部分４０により吐水孔３０Ａ、３０Ｂを形成できる。よって、鋳込み成形品の一部の切除を伴い吐水孔３０Ａ、３０Ｂを形成する手法と比べ、目的とする形状の吐水孔３０Ａ、３０Ｂを精度よく形成できる利点がある。また、この他にも、単数の鋳込み成形品により便器本体１２を構成する場合と比べ、便器本体１２の通水路３２Ａ、３２Ｂの高さを容易に小さくできる。これに伴い、吐水孔３０Ａ、３０Ｂから洗浄水を吐き出すために通水路３２Ａ、３２Ｂ内に供給すべき水量を低減できる利点もある。
【００４６】
ここまで第１上面側部分３８Ａに関する構成の詳細を説明したが、第２上面側部分３８Ｂでも多くの点で共通する。つまり、第２上面側部分３８Ｂは、第２通水路３２Ｂの内上面を構成する第２上壁部４２Ｂと、垂下壁部３４の第２孔形成部３６Ｂを少なくとも構成する第２垂下側壁部４４Ｂと、を有する。
【００４７】
便鉢側部分４０は、第２通水路３２Ｂの内側面３２ｃを構成する一対の第２側壁部４６Ｂと、第２通水路３２Ｂの内下面３２ａを構成する第２下壁部４８Ｂとを有する。第２側壁部４６Ｂも、第１側壁部４６Ａと同様、第１段部５２と第２段部５４を有する。第１段部５２の上面は、図示しないが、第２上面側部分３８Ｂの第２垂下側壁部４４Ｂと接触して第２垂下側壁部４４Ｂを支持する。第２段部５４の上面は、図示しないが、第２上面側部分３８Ｂの第２垂下側壁部４４Ｂと接触して第２垂下側壁部４４Ｂを支持する。
【００４８】
次に水洗大便器１０の第２の工夫点を説明する。図２、図３を参照する。便器本体１２は、便鉢部１８の他に、便鉢部１８の底部に接続される便器排水路５６を備える。便器排水路５６は、便鉢部１８内から下水側水路（不図示）に排出される汚物や水の通り道となる。
【００４９】
溜水部２６は、便鉢部１８の底部を形成するとともに有底状をなす。溜水部２６は、底壁面２６ａと、底壁面２６ａから立ち上がる複数の立壁面２６ｂ〜２６ｄと、を有する。底壁面２６ａの後部には便器排水路５６の入口５６ａが開口する。溜水部２６には溜水が溜められる。
【００５０】
立壁面２６ｂ〜２６ｄには、溜水部２６の左右一方側となる左側（図２の紙面では右側）に設けられる左側立壁面２６ｂ（第１立壁面）と、溜水部２６の左右他方側となる右側（図２の紙面では左側）に設けられる右側立壁面２６ｃ（第２立壁部）とが含まれる。また、立壁面２６ｂ〜２６ｄには、溜水部２６の後側に設けられる後側立壁面２６ｄが含まれる。左側立壁面２６ｂと右側立壁面２６ｃは、後述する誘導流Ｆｗｆ（図１５参照）を形成するため、前方に向かうにつれて先細りする形状であり、その前端部が第１凹曲面２６ｅを介して滑らかに連なっている。本実施形態の左側立壁面２６ｂは、第２凹曲面２６ｆを介して後側立壁面２６ｄに滑らかに連なっている。本実施形態の右側立壁面２６ｃは、第３凹曲面２６ｇを介して後側立壁面２６ｄに滑らかに連なっている。
【００５１】
図１０は、便器本体１２の他の平面図である。汚物受け面２４は、平面視において、溜水部２６と前後方向Ｘに重なり溜水部２６より後方に設けられる後側領域６０と、溜水部２６及び後側領域６０と左右方向Ｙに重なる一対の横側領域６２Ａ、６２Ｂとを有する。また、汚物受け面２４は、平面視において、溜水部２６や横側領域６２Ａ、６２Ｂと前後方向Ｘに重なり溜水部２６より前方に設けられる前側領域６４を有する。
【００５２】
図１１は、便器本体１２の更に他の平面図である。便鉢部１８は、吐水孔３０Ａ、３０Ｂから吐き出された洗浄水を便鉢部１８の内周面に沿って旋回させるように導くための棚面６６を有する。本実施形態の棚面６６は、第１吐水孔３０Ａの内下面に連なるように形成され、かつ、第２吐水孔３０Ｂの内下面に連なるように形成される。
【００５３】
図１２は、図３の一部の拡大図である。図１３は、図２のＢ−Ｂ線端面の一部を主に示す図である。図１１〜図１３に示すように、棚面６６は、汚物受け面２４の外周端部２４ｂから径方向内側に向かう範囲の一部が構成している。棚面６６は、便鉢部１８の径方向に沿った切断面での形状が平坦面である。図１２、図１３では、このような径方向に沿った切断面の形状を示す。
【００５４】
棚面６６は、汚物受け面２４の後側領域６０から横側領域６２Ａ、６２Ｂにかけて連続するように形成される。本実施形態の棚面６６は、汚物受け面２４の後側領域６０から一対の横側領域６２Ａ、６２Ｂのそれぞれにかけて連続するように形成される。本実施形態の棚面６６は、汚物受け面２４の横側領域６２Ａ、６２Ｂから前側領域６４にはみ出るように形成される。本実施形態の棚面６６は、汚物受け面２４の後側領域６０にて左右方向Ｘの全範囲に亘り形成される。
【００５５】
本実施形態の棚面６６は、平面視において、溜水部２６と前後方向Ｘに重なる位置で溜水部２６の前方には形成されない。汚物受け面２４の前側領域６４には、溜水部２６と前後方向Ｘに重なる位置で溜水部２６の前方にて、下方に窪むような凹曲面部６８が設けられる。これにより、汚物受け面２４は、後述するが、汚物受け面２４から溜水部２６に前方から流入する水流として第１分流Ｆｗｂ（図１５参照）を形成するように構成される。
【００５６】
便鉢部１８は、棚面６６と溜水部２６の立壁面２６ｂ〜２６ｄを連結する連結面７０を有する。連結面７０は、便鉢部１８の径方向に沿った切断面において、棚面６６の内周端６６ａに連なる単数の曲率半径を持つ凸曲面状の部分である。棚面６６に連なる連結面７０は、汚物受け面２４の後側領域６０に少なくとも設けられる。本実施形態の連結面７０は、汚物受け面２４の後側領域６０から横側領域６２Ａ、６２Ｂに連続するように設けられる。連結面７０は、汚物受け面２４の横側領域６２Ａ、６２Ｂにも設けられることになる。本実施形態の連結面７０は、汚物受け面２４の後側領域６０にて左右方向Ｙの全範囲に亘り形成される。
【００５７】
以上の水洗大便器１０による洗浄方法を説明する。本実施形態の水洗大便器１０は、水の落差を用いて汚物を押し流す洗い流し式の洗浄方式によって汚物を排出する。洗浄水供給装置１４は、所定の洗浄開始条件を満たすと、所定の水量の洗浄水を通水路３２Ａ、３２Ｂに供給する供給動作を行う。洗浄開始条件は、たとえば、レバー等の操作部材、または、リモートコントローラ、スマートフォン等の電気機器に対する操作を通じて洗浄水供給装置１４が洗浄開始指令を受けることである。
【００５８】
図１４は、第１段階での洗浄水の流れ方を示す図である。ここでの第１段階とは、便鉢部１８内に洗浄水が流れ始めた段階をいう。本図では、洗浄水の流れ方向に矢印を付して示す。
【００５９】
洗浄水は、洗浄水供給装置１４から通水路３２Ａ、３２Ｂを通して各吐水孔３０Ａ、３０Ｂに供給され、各吐水孔３０Ａ、３０Ｂから吐き出される。第１吐水部２８Ａは、第１吐水孔３０Ａから吐き出された洗浄水によって、便鉢部１８の右側方部分１８ｃにて汚物受け面２４を前方に向かい、汚物受け面２４の前端部２４ａを経由して、便鉢部１８の左側方部分１８ｂにて汚物受け面２４を後方に向かう第１旋回流Ｆｗａを形成する。第１旋回流Ｆｗａは、汚物受け面２４の右側の横側領域６２Ｂや左側の横側領域６２Ａを伝うときに、それらの棚面６６を通るように形成される。第１旋回流Ｆｗａは主流として形成される。本明細書での「主流」とは、洗浄水の一部が部分的に集まった状態で流れるすじ状の流れのことをいう。
【００６０】
第１旋回流Ｆｗａを形成する洗浄水の一部は、便鉢部１８の左側方部分１８ｂにて汚物受け面２４の前部で第１分流Ｆｗｂに分かれる。第１分流Ｆｗｂは、汚物受け面２４から溜水部２６側に向けて流れ落ちる主流として形成される。
【００６１】
便鉢部１８の左側方部分１８ｂにて第１分流Ｆｗｂに分かれずに汚物受け面２４を後方に向かう第１旋回流Ｆｗａの一部Ｆｗｃは、第１分流Ｆｗｂより流量が多くなる。
【００６２】
第２吐水部２８Ｂは、第２吐水孔３０Ｂから広角な範囲に洗浄水を吐き出すことによって、溜水部２６に後方から流入する第１水流Ｆｗｄと、第１水流Ｆｗｄより後方にて汚物受け面２４を反時計回り方向に伝う第２水流Ｆｗｅとを形成する。第１水流Ｆｗｄと第２水流Ｆｗｅは主流として形成される。第１水流Ｆｗｄは、第２水流Ｆｗｅより流量が多くなる。第１水流Ｆｗｄは、第１旋回流Ｆｗａの一部Ｆｗｃと合流していないとき、主に、便鉢部１８の左側方部分１８ｂにて溜水部２６に後方から流入する。このとき、第１水流Ｆｗｄは、便鉢部１８の右側方部分１８ｃにおいて溜水部２６の後方から流入する流量より、便鉢部１８の左側方部分１８ｂにおいて溜水部２６の後方から流入する流量が多くなるように形成される。このとき、便鉢部１８の右側方部分１８ｃにおいて溜水部２６の後方から流入する第１水流Ｆｗｄの流量は零でもよい。
【００６３】
図１５は、第２段階での洗浄水の流れ方を示す図である。ここでの第２段階とは、第１段階より時間が経過した後の段階をいう。第１旋回流Ｆｗａ、第１分流Ｆｗｂの流れ方は第１段階と同様である。
【００６４】
第２段階では、第２吐水孔３０Ｂから吐き出される洗浄水が形成する第１水流Ｆｗｄや第２水流Ｆｗｅは、第１旋回流Ｆｗａの一部Ｆｗｃと合流する。これにより、これら第１水流Ｆｗｄや第２水流Ｆｗｅは、第１旋回流Ｆｗａの一部Ｆｗｃとの合流前に流れていた位置よりも、汚物受け面２４の後側領域６０で汚物受け面２４の外周端部２４ｂ寄りの箇所を通るように形成される。
【００６５】
このとき、第１水流Ｆｗｄや第２水流Ｆｗｅのいずれもが、汚物受け面２４の後側領域６０を反時計回り方向に向けて伝うように形成される。第１吐水部２８Ａや第２吐水部２８Ｂは、第１吐水孔３０Ａや第２吐水孔３０Ｂから洗浄水を吐き出すことによって、汚物受け面２４の後側領域６０を反時計回り方向に伝う第１水流Ｆｗｄを形成しているといえる。この第１水流Ｆｗｄは、汚物受け面２４の後側領域６０で棚面６６や連結面７０を反時計回り方向に伝うように形成される。
【００６６】
第１水流Ｆｗｄは、第１旋回流Ｆｗａの一部Ｆｗｃと合流しているとき、主に、溜水部２６の右側立壁面２６ｃに接触しつつ落ち込むように便鉢部１８の右側方部分１８ｃにて溜水部２６内に後方に流入する。このとき、第１水流Ｆｗｄは、便鉢部１８の左側方部分１８ｃにおいて溜水部２６内に後方から流入する流量より、便鉢部１８の右側方部分１８ｂにおいて溜水部２６内に後方から流入する流量が多くなるように形成される。このとき、便鉢部１８の左側方部分１８ｂにおいて溜水部２６の後方から流入する第１水流Ｆｗｄの流量は零でもよい。この第１水流Ｆｗｄは、汚物受け面２４から溜水部２６内に流入する水流のなかで最も流量が多い主流となる。
【００６７】
図１６は、第２段階での洗浄水の流れ方を示す他の図である。図１５、図１６に示すように、溜水部２６内に後方から流入する第１水流Ｆｗｄは、溜水部２６の右側立壁面２６ｃに接触しつつ下向きに流れる。この第１水流Ｆｗｄは、溜水部２６の底壁面２６ａや左側立壁面２６ｂに衝突することで上方かつ後方に向きを変えた後、溜水部２６内で上昇したうえで自重により下降する縦旋回流となる誘導流Ｆｗｆを形成する。この誘導流Ｆｗｆは、溜水部２６内で後方に向けて上昇してから下降することで、便器排水路５６の入口５６ａに汚物を押し込むような流れとなる。このように溜水部２６は、右側立壁面２６ｃに接触しつつ溜水部２６内に後方から流入する流れによって、便器排水路５６に汚物を押し込む誘導流Ｆｗｆを形成するように構成されている。
【００６８】
なお、このような誘導流Ｆｗｆには、前述した溜水部２６内に前方から流入する第１分流Ｆｗｂが合流する。これにより、誘導流Ｆｗｆの水勢が増幅される。
【００６９】
第２水流Ｆｗｅは、汚物受け面２４の後側領域６０を反時計回り方向に伝うとともに、汚物受け面２４の右側の横側領域６２Ｂを前方に向けて伝う。第２水流Ｆｗｅは、汚物受け面２４の右側の横側領域６２Ｂで第１旋回流Ｆｗａと合流し、その第１旋回流Ｆｗａの水勢を増幅させる。
【００７０】
このように第１水流Ｆｗｄは、第１旋回流Ｆｗａの一部Ｆｗｃと合流してから、溜水部２６の右側立壁面２６ｃに接触しつつ溜水部２６内に後方から流入するように形成される。これにより、第１旋回流Ｆｗａの一部Ｆｗｃと合流させない場合よりも、溜水部２６の後方から流入する第１水流Ｆｗｄの流量を増大でき、汚物排出能力の向上を図れる。
【００７１】
特に、第１水流Ｆｗｄは、第１旋回流Ｆｗａの一部Ｆｗｃと合流しないときも、溜水部２６に後方から流入するように形成される。よって、第１水流Ｆｗｄに対して第１旋回流Ｆｗａが合流したとき、その第１旋回流Ｆｗａの流れ方向が溜水部２６を向くように、その流れ方向を変え易くなる。これに伴い、溜水部２６に後方から流入せずに汚物受け面２４の後側領域６０を伝う水流の第１旋回流Ｆｗａの全流量に対する割合を減少させ、その分、溜水部２６に後方から流入する水流の第１旋回流Ｆｗａの全流量に対する割合を増大できる。この結果、溜水部２６の後方から流入する第１水流Ｆｗｄの流量をより増大でき、汚物排出能力の更なる向上を図れる。
【００７２】
ここで、本実施形態の水洗大便器１０では、このような溜水部２６に後方から流入する第１水流Ｆｗｄの流量を増大させるため、次の工夫をしている。図１７は、棚面６６の径方向での勾配を示すグラフである。ここでの「径方向での勾配」とは、便鉢部１８の径方向に沿った切断面での棚面６６の勾配（以下、単に勾配ともいう）を意味する。図１７の位置Ａ〜Ｃは、図１１の位置Ａ〜Ｃに対応する。
【００７３】
図１１〜図１３、図１７に示すように、前述の後側領域６０での棚面６６の勾配は、横側領域６２Ａ、６２Ｂでの棚面６６の勾配より大きくなるように設定される。本実施形態の棚面６６の勾配は、平面視において、便鉢部１８の左右中心線Ｌｃと重なる位置Ａで最も大きくなるように設定される。棚面６６の勾配は、左右中心線Ｌｃと重なる位置Ａから周方向に離れるにつれて、連続的に小さくなるように設定される。横側領域６２Ａ、６２Ｂでの棚面６６の勾配は、後側領域６０から周方向に離れるにつれて、連続的に小さくなるように設定されるとも捉えられる。
【００７４】
これにより、後側領域６０での棚面６６の勾配を横側領域６２Ａ、６２Ｂでの棚面６６の勾配以下にする場合と比べ、後側領域６０の棚面６６を反時計回り方向に伝う洗浄水の一部を適度に溜水部２６に流し落とし易くなる。よって、溜水部２６の後方からの洗浄水の流入量を増大でき、汚物排出能力の向上を図れる。
【００７５】
また、後側領域６０の棚面６６により洗浄水を便鉢部１８の内周面に沿って導けるため、後側領域６０に対して反時計回り方向に連なる右側の横側領域６２Ｂの汚物受け面２４にも適度な量の洗浄水を伝わせられる。よって、溜水部２６への後方からの洗浄水の流入量を増大しつつ、右側の横側領域６２Ｂでの汚物受け面２４の洗浄能力の向上も図れる。
【００７６】
図１８は、連結面７０の径方向での曲率半径を示すグラフである。ここでの「径方向での曲率半径」とは、便鉢部１８の径方向に沿った切断面での曲率半径（以下、単に曲率半径ともいう）を意味する。図１８の位置Ａ〜Ｅは、図１１の位置Ａ〜Ｅに対応する。
【００７７】
図１１〜図１３、図１８に示すように、前述の後側領域６０での連結面７０の曲率半径は、横側領域６２Ａ、６２Ｂでの連結面７０の曲率半径より大きくなるように設定される。本実施形態の連結面７０の曲率半径は、平面視において、溜水部２６の後方にて便鉢部１８の左右中心線Ｌｃと重なる位置Ａで最も大きくなるように設定される。連結面７０の曲率半径は、左右中心線Ｌｃと重なる位置Ａから周方向に離れるにつれて、連続的に小さくなるように設定される。横側領域６２Ａ、６２Ｂでの連結面７０の曲率半径は、後側領域６０から周方向に離れるにつれて、連続的に小さくなるように設定されるとも捉えられる。
【００７８】
これにより、後側領域６０での連結面７０の曲率半径を横側領域６２Ａ、６２Ｂでの連結面７０の曲率半径以下にする場合と比べ、凸曲面状の連結面７０が形成されている径方向での範囲を広くできる。これに伴い、後側領域６０で連結面７０上を通る洗浄水の量を増やすことができ、連結面７０から溜水部２６に流し落とせる洗浄水の量を増やし易くなる。この結果、溜水部２６への後方からの洗浄水の流入量をさらに増大でき、汚物排出能力の向上を図れる。
【００７９】
かりに、溜水部２６への後方からの洗浄水の流入量を増大させるうえで、汚物受け面２４の後側領域６０の広範囲に凹曲面を設け、その凹曲面により溜水部２６に洗浄水を誘導する方策が考えられる。この点、本実施形態によれば、汚物受け面２４の後側領域６０には、平坦面である棚面６６と凸曲面状の連結面７０が設けられ、少なくとも棚面６６の勾配により溜水部２６への後方からの洗浄水の流入量を増大できる。よって、溜水部２６への後方からの洗浄水の流入量を増大させるうえで、汚物受け面２４の後側領域６０の広範囲に凹曲面を設けずともよくなる。これに伴い、汚物受け面２４の後側領域６０をつっかえずに拭き易くなり、良好な清掃性を得られる。
【００８０】
なお、連結面７０は、平面視において、溜水部２６の周りで全周に亘り連なるように設けられる。連結面７０は、後側領域６０以外では棚面６６の内周端６６ａに連ならない箇所もある。連結面７０の曲率半径は、平面視において溜水部２６の前方にて便鉢部１８の左右中心線Ｌｃと重なる位置Ｅで最も小さくなるように設定される。
【００８１】
次に、水洗大便器１０の他の特徴を説明する。図１９は、図４の一部の拡大図である。便鉢部１８は、便鉢部１８の内周面を構成し、第１吐水孔３０Ａの内側面３０ｃに連なるとともに、第１吐水孔３０Ａの中心軸線Ｌｄに沿った吐出方向Ｐａに延びる面部分１８ｄを有する。本実施形態の面部分１８ｄは前述の垂下壁部３４が構成している。
【００８２】
第１吐水孔３０Ａの中心軸線Ｌｄを平面視において吐出方向Ｐａに延長した線を延長線Ｌｅという。本実施形態において、この延長線Ｌｅは、平面視において、溜水部２６を避けた箇所を通るように設けられる。
【００８３】
便鉢部１８の面部分１８ｄは、第１吐水孔３０Ａの内側面３０ｃから吐出方向Ｐａに向かうにつれて、平面視において、前述の延長線Ｌｅを挟んで溜水部２６とは反対側（図１９の紙面の左側）に向けて延びるように形成される。このような面部分１８ｄは、第１吐水孔３０Ａの内側面３０ｃとの間で、平面視において鈍角の角部３０ｄを形成している。面部分１８ｄは、吐出方向Ｐａに向かうにつれて、前述の延長線Ｌｅから溜水部２６とは反対側に離れてから近づくように湾曲している。
【００８４】
これにより、第１吐水孔３０Ａから吐き出される洗浄水は、第１吐水孔３０Ａから吐き出された直後、便鉢部１８の面部分１８ｄに沿って流れ難くなり、その面部分１８ｄに沿って流れる水の流量を抑えられる。この利点を説明する。
【００８５】
第１吐水孔３０Ａから吐き出される洗浄水に対して、平面視において、前述の延長線Ｌｅに対して溜水部２６側から第２水流Ｆｗｅが合流したときを考える。このとき、第１吐水孔３０Ａから吐き出される洗浄水には、第２水流Ｆｗｅと合流することによって、便鉢部１８の面部分１８ｄに近づくような力成分Ｆａが付与される。この場合に、本実施形態によれば、便鉢部１８の面部分１８ｄに沿って流れる水の流量を抑えられる。よって、便鉢部１８の面部分１８ｄに近づくような力成分Ｆａが付与されても、第１吐水孔３０Ａから吐き出される洗浄水の多くが便鉢部１８の面部分１８ｄに勢いよくぶつかる事態を避けられ、飛沫の発生を抑えられる。
【００８６】
図２０（ａ）は、図３のＦ−Ｆ線断面図であり、図２０（ｂ）は、図３のＧ−Ｇ線断面図であり、図２０（ｃ）は、図３のＨ−Ｈ線断面図である。
【００８７】
以上、実施形態をもとに本発明を説明した。次に、各構成要素の変形例を説明する。
【００８８】
便器本体１２は、床置き式である例を説明したが、壁掛け式でもよい。水洗大便器１０は、洗い落し式以外の他の洗浄方式を用いて洗浄してもよい。この洗浄方式とは、たとえば、サイホン式である。洗浄水供給装置１４は、その具体例について特に限定されない。洗浄水供給装置１４は、たとえば、フラッシュバルブ等を用いて構成されてもよい。
【００８９】
（第１の工夫点に関して）
垂下壁部３４の孔形成部３６Ａ、３６Ｂの高さＨａは、前述の高さＨｂの半分未満の大きさに設定されてもよい。
【００９０】
便器本体１２は、上面側部分３８Ａ、３８Ｂと便鉢側部分４０とを接合せずに、単数の鋳込み成形品により構成されてもよい。
【００９１】
上面側部分３８Ａ、３８Ｂの垂下側壁部４４Ａ、４４Ｂは、便鉢側部分４０の第２段部５４とは異なる箇所に接触して支持されてもよい。たとえば、便鉢側部分４０の汚物受け面２４の外周端部２４ｂに連なる箇所に接触して支持されてもよい。上面側部分３８Ａ、３８Ｂの垂下側壁部４４Ａ、４４Ｂは、便鉢側部分４０の第２段部５４の側面５４ｂに接触していなくともよい。
【００９２】
（第２の工夫点に関して）
便器本体１２は第１吐水部２８Ａのみを有し、第２吐水部２８Ｂを有していなくともよい。この場合、第１吐水部２８Ａは、第１吐水孔３０Ａから吐き出される洗浄水によって、汚物受け面２４の後側領域６０を周方向に伝う水流を形成していればよい。この水流とは、たとえば、前述の第１水流Ｆｗｄである。この場合、第１吐水部２８Ａの第１吐水孔３０Ａの位置は特に限定されない。たとえば、第１吐水孔３０Ａは、実施形態で第２吐水孔３０Ｂのある位置に形成されていてもよい。
【００９３】
第１吐水孔３０Ａ、第２吐水孔３０Ｂ、第１旋回流Ｆｗａ、第１分流Ｆｗｂ、第１水流Ｆｗｄ、第２水流Ｆｗｅ、誘導流Ｆｗｆ等は、実施形態での位置に対して左右で逆の位置に設けてもよい。たとえば、第１吐水部２８Ａは、便鉢部１８内に時計回り方向に向けて第１吐水孔３０Ａから洗浄水を吐き出すことによって、汚物受け面２４の後側領域６０を時計回り方向に伝う第１水流Ｆｗｄを形成してもよい。この場合、溜水部２６は、溜水部２６の左右片側となる左側立壁面２６ｂに接触しつつ溜水部２６に後方から流入する水流によって誘導流Ｆｗｆを形成するように構成されていればよい。
【００９４】
汚物受け面２４の棚面６６は、汚物受け面２４の後側領域６０からいずれかの横側領域６２Ａ、６２Ｂにかけて連続するように形成されていればよい。
【００９５】
汚物受け面２４の後側領域６０での棚面６６の勾配は、便鉢部１８の周方向に連続的に変化するように設定される例を説明した。この他にも、後側領域６０での棚面６６の勾配は、便鉢部１８の周方向に段階的に変化してもよいし、後側領域６０で周方向に一定に設定されてもよい。いずれにしても、後側領域６０での棚面６６の勾配は、横側領域６２Ａ、６２Ｂでの棚面６６の勾配より大きくなるように設定されていればよい。また、後側領域６０での棚面６６の勾配は、一対の横側領域６２Ａ、６２Ｂのうちいずれかの横側領域６２Ａ、６２Ｂでの棚面６６の勾配より大きくなるように設定されていればよい。
【００９６】
汚物受け面２４の後側領域６０の連結面７０は凹曲面状をなしていてもよい。
【００９７】
汚物受け面２４の後側領域６０での連結面７０の曲率半径は、便鉢部１８の周方向に連続的に変化するように設定される例を説明した。この他にも、後側領域６０での連結面７０の曲率半径は、便鉢部１８の周方向に段階的に変化してもよいし、後側領域６０で周方向に一定に設定されてもよい。いずれにしても、後側領域６０での連結面７０の曲率半径は、横側領域６２Ａ、６２Ｂでの曲率半径より大きくなるように設定されていればよい。また、後側領域６０での連結面７０の曲率半径は、一対の横側領域６２Ａ、６２Ｂのうちいずれかの横側領域６２Ａ、６２Ｂでの連結面７０の曲率半径より大きくなるように設定されていればよい。
【００９８】
以上、本発明の実施形態や変形例について詳細に説明した。前述した実施形態や変形例は、いずれも本発明を実施するにあたっての具体例を示したものにすぎない。実施形態や変形例の内容は、本発明の技術的範囲を限定するものではなく、請求の範囲に規定された発明の思想を逸脱しない範囲において、構成要素の変更、追加、削除等の多くの設計変更が可能である。前述の実施形態では、このような設計変更が可能な内容に関して、「実施形態の」「実施形態では」等との表記を付して強調しているが、そのような表記のない内容でも設計変更が許容される。以上の構成要素の任意の組み合わせも、本発明の態様として有効である。図面の断面に付したハッチングは、ハッチングを付した対象の材質を限定するものではない。
【００９９】
以上の実施形態、変形例により具体化される発明を一般化すると、以下の項目に記載の発明が含まれているともいえる。
【０１００】
（第１項目）
便鉢部と、
前記便鉢部内に周方向の一方側に向けて第１吐水孔から洗浄水を吐き出すための第１吐水部と、を備え、
前記便鉢部は、前記便鉢部の内周面を構成し、前記第１吐水孔の内側面から前記第１吐水孔の中心軸線に沿った吐出方向に延びる面部分を有し、
前記面部分は、前記第１吐水孔の内側面から前記吐出方向に向かうにつれて、平面視において前記中心軸線を挟んで前記溜水部とは反対側に向けて延びるように形成される便器本体。
【０１０１】
以上の実施形態、変形例により具体化される発明を一般化すると、以下の技術的思想が導かれる。以下、発明が解決しようとする課題に記載の態様を用いて説明する。
【０１０２】
第２態様の便器本体は、第１態様において、前記汚物受け面は、前記溜水部の立壁面と前記棚面とを連結するとともに前記棚面に連なる凸曲面状の連結面を有し、前記連結面は、前記汚物受け面の前記後側領域に少なくとも設けられてもよい。
この態様によれば、溜水部への後方からの洗浄水の流入量を増大させるうえで、汚物受け面の後側領域の広範囲に凹曲面を設けずともよくなる。これに伴い、汚物受け面の後側領域をつっかえずに拭き易くなり、良好な清掃性を得られる。
【０１０３】
第３態様の便器本体は、第２態様において、前記連結面は、前記汚物受け面の前記横側領域にも設けられ、前記後側領域での前記連結面の径方向での曲率半径は、前記横側領域での前記連結面の径方向での曲率半径より大きくなるように設定されてもよい。
この態様によれば、後側領域での連結面の曲率半径を横側領域での連結面の曲率半径以下にする場合と比べ、凸曲面状の連結面が形成されている径方向での範囲を広くできる。これに伴い、後側領域で連結面上を通る洗浄水の量を増やすことができ、連結面から溜水部に流し落とせる洗浄水の量を増やし易くなる。この結果、溜水部の後方からの洗浄水の流入量をさらに増大でき、汚物排出能力の向上を図れる。
【０１０４】
第４態様の便器本体は、第１から第３態様のいずれかにおいて、前記第１吐水部は、前記第１吐水孔から洗浄水を吐き出すことによって、前記便鉢部の左右一方側の第１側方部分を後方に伝う第１旋回流を形成し、前記溜水部より後方にて前記第１側方部分に形成される第２吐水孔を有し、前記便鉢部内に前記周方向の一方側に向けて前記第２吐水孔から洗浄水を吐き出すことによって、前記溜水部に後方から流入する第１水流を形成する第２吐水部を備え、前記第１水流は、前記第１旋回流の一部と合流してから、前記立壁面に接触しつつ前記溜水部内に後方から流入するように形成されてもよい。
この態様によれば、溜水部に後方から流入する水流の流量を増大でき、汚物排出能力の向上を図れる。
【０１０５】
第５態様の便器本体は、鉢状の汚物受け面、及び、前記汚物受け面の下端縁から下方に窪む溜水部を有する便鉢部と、前記便鉢部の底部に接続される便器排水路と、前記便鉢部内に周方向の一方側に向けて第１吐水孔から洗浄水を吐き出すことによって、前記便鉢部の左右一方側の第１側方部分を後方に伝う第１旋回流を形成する第１吐水部と、前記溜水部より後方にて前記第１側方部分に形成される第２吐水孔を有し、前記便鉢部内に前記周方向の一方側に向けて前記第２吐水孔から洗浄水を吐き出すことによって、前記溜水部に後方から流入する第１水流を形成する第２吐水部と、を備え、前記溜水部は、前記溜水部の左右片側に設けられる立壁面に接触しつつ前記溜水部に後方から流入する水流によって、前記便器排水路に汚物を押し込む誘導流を形成するように構成され、前記第１水流は、前記第１旋回流の一部と合流してから、前記立壁面に接触しつつ前記溜水部内に後方から流入するように形成される。
この態様によれば、溜水部に後方から流入する水流の流量を増大でき、汚物排出能力の向上を図れる。
【０１０６】
第６態様の便器本体は、第１から第５態様のいずれかにおいて、前記便鉢部は、前記便鉢部の内周面を構成し、前記第１吐水孔の内側面から前記第１吐水孔の中心軸線に沿った吐出方向に延びる面部分を有し、前記面部分は、前記第１吐水孔の内側面から前記吐出方向に向かうにつれて、平面視において前記中心軸線の延長線を挟んで前記溜水部とは反対側に向けて延びるように形成されてもよい。
この態様によれば、第１吐水孔から吐き出される洗浄水に対して、他の水流と合流することによって、便鉢部の面部分に近づくような力成分が付与される場合を考える。この場合に、第１吐水孔から吐き出される洗浄水の多くが便鉢部の面部分に勢いよくぶつかる事態を避けられ、飛沫の発生を抑えられる。
【符号の説明】
【０１０７】
１２…便器本体、１８…便鉢部、２４…汚物受け面、２６…溜水部、２６ｂ〜２６ｄ…立壁面、２８Ａ…第１吐水部、２８Ｂ…第２吐水部、３０Ａ…第１吐水孔、３０Ｂ…第２吐水孔、３０ｃ…内側面、５６…便器排水路、６０…後側領域、６２Ａ，６２Ｂ…横側領域、６６…棚面、７０…連結面。
【図１】
2019190217.tif 000003
【図２】
2019190217.tif 000004
【図３】
2019190217.tif 000005
【図４】
2019190217.tif 000006
【図５】
2019190217.tif 000007
【図６】
2019190217.tif 000008
【図７】
2019190217.tif 000009
【図８】
2019190217.tif 000010
【図９】
2019190217.tif 000011
【図１０】
2019190217.tif 000012
【図１１】
2019190217.tif 000013
【図１２】
2019190217.tif 000014
【図１３】
2019190217.tif 000015
【図１４】
2019190217.tif 000016
【図１５】
2019190217.tif 000017
【図１６】
2019190217.tif 000018
【図１７】
2019190217.tif 000019
【図１８】
2019190217.tif 000020
【図１９】
2019190217.tif 000021
【図２０】
2019190217.tif 000022